(57)【特許請求の範囲】
【請求項１】
検便用の便を採取するための採便具であって、
検便用の便を受取るための便受取部と、
該便受取部の一端に連設され、該採便具を把持するための把持部とを備え、
該便受取部と該把持部とのなす角度が鈍角であり、
該便受取部を水平に置いた場合に、該把持部が上方かつ横方向に屈曲して連設されており、
該便受取部と該把持部との連設部及びその近傍に、該便受取部を水平に置いた場合に上方かつ横方向に屈曲して連設されている該把持部を該便受取部の直線延長方向に位置する箇所に折るための第２の折込線が設けられるとともに、
該便受取部と該把持部との連設部には該把持部を該便受取部側へ折り込み可能にする第３の折込線が設けられていること
を特徴とする採便具。
【請求項２】
該便受取部は、便の受けこぼしを防止するための一対の側壁を有するものであって、
該一対の側壁は該一対の側壁のそれぞれの下端一辺に設けられる、一方の側壁を他方の側壁へ向けて折込み可能にする第４の折込線を介して連設されるとともに、
該把持部は一対の板状体からなり、
該一対の板状体は該一対の板状体のそれぞれの下端一辺に設けられる、一方の板状体を他方の板状体へ向けて折込み可能にする第５の折込線を介して連設されていること
を特徴とする請求項１に記載の採便具。
【請求項３】
検便用の便を採取するための採便具であって、
検便用の便を受取るための便受取部と、
該便受取部の一端に連設され、該採便具を把持するための把持部とを備え、
該便受取部と該把持部との連設部に該把持部を該便受取部側へ折り込み可能にする第１の折込線が設けられており、
該便受取部は、便の受けこぼしを防止するための一対の側壁を有するものであって、
該一対の側壁は該一対の側壁のそれぞれの下端一辺に設けられる、一方の側壁を他方の側壁へ向けて折込み可能にする第４の折込線を介して連設されるとともに、
該把持部は一対の板状体からなり、
該一対の板状体は該一対の板状体のそれぞれの下端一辺に設けられる、一方の板状体を他方の板状体へ向けて折込み可能にする第５の折込線を介して連設されていること
を特徴とする採便具。
【請求項４】
該便受取部と該把持部とのなす角度が鈍角であることを特徴とする請求項３に記載の採便具。
【発明の詳細な説明】
【技術分野】
【０００１】
本発明は、検便用の便を採取するための採便具に関する。
【背景技術】
【０００２】
従来、検便用の便を採取する方法としては、主に、便器内に大量のトイレットペーパーを敷き、ここに便を落とし込んだ後、そこから検便に必要な便を採取すること等が行われていた。しかし、この方法では、検便に必要な便を効率よく採取することができず、また、衛生面において問題があった。
【０００３】
そこで、このような問題を解決するものとして、便器内の水溜り上部にセットする採便具が知られている。
【０００４】
この採便具の構造として、特許文献１には、便器内の水溜り上部にセットする二つに折りたためる便受け部と、左右の便器縁上面に接着して取り付ける接着部と、該接着部内端から立ち下り、該便受け部とをつないでかつ折りたためる繋ぎ部とからなる採便具が記載されている。
【先行技術文献】
【特許文献】
【０００５】
【特許文献１】特開２００６−１０６６６号公報
【発明の概要】
【発明が解決しようとする課題】
【０００６】
しかし、特許文献１に記載されている採便具は、接着部を左右の便器縁上面に接着して取り付けるものであることから、便受け部の位置は必然的に固定される。このため、特許文献１に記載されている採便具では、その取付位置が正確でない場合、検便用の便を採取することができない（便が全て便器内の水溜り部に落下してしまう）。
【０００７】
また、検便用の便に尿又経血が付着すると正確な検便が行えないことから、検便用の便を採取する者（以下、「採便者」という。）は、検便用の便に尿又は経血が付着しないよう気を払いながら採便作業を行わなければならない。しかし、特許文献１に記載されている採便具では、便受け部の位置が固定されていることから、採便者は、容易に検便用の便に尿又は経血が付着しないよう採便作業を行うことができない（採便者は、尿又は経血が便器内の水溜り部に垂れ流れるよう（便受け部に尿又は経血が垂れ落ちないよう）、腰を動かす等して尿又は経血の落下位置を調整しなければならず、わずらわしさに堪えない）。
【０００８】
さらに、特許文献１に記載されている採便具では、便受け部が接着部、繋ぎ部を介して、中に浮いている状態（便器内部の壁面からブランコのように中に浮いている）であることから、便の重みや落下速度によっては、検便用の便が便受け部よりこぼれ落ちてしまう可能性がある（検便用の便を便受け部にて受取ることができない）。
【０００９】
加えて、特許文献１に記載されている採便具は、洋式便器の蓋及び便座を上げた状態で接着部を左右の便器縁上面に接着する必要があることから、採便者は、これをセットする際、一度、便器に触れる必要があり、衛生面において問題がある。
【００１０】
最後に、特許文献１に記載されている採便具は、洋式便器の水溜り上部に便受け部が位置されるようセットするものであるが、便器の水溜り上部が採便者の肛門付近に位置しない和式便器においては、検便用の便を便受け部に落とし込む位置が定まらず、正確かつ効率的に検便用の便を採取することができない（便が全て便器内に落下してしまう）。
【００１１】
そこで、本発明に係る採便具は、上記点に鑑みてなされたものであり、洋式、和式便器を問わず、正確かつ効率的に検便用の便を採取可能にし、採便者が便器に触れることなく衛生的に採便作業を行えることを目的としてなされたものである。
【課題を解決するための手段】
【００１２】
請求項１の発明に係る採便具は、検便用の便を採取するための採便具であって、検便用の便を受取るための便受取部と、該便受取部の一端に連設され、該採便具を把持するための把持部とを備え、該便受取部と該把持部とのなす角度が鈍角であり、該便受取部を水平に置いた場合に、該把持部が上方かつ横方向に屈曲して連設されていて、該便受取部と該把持部との連設部及びその近傍に、該便受取部を水平に置いた場合に上方かつ横方向に屈曲して連設されている該把持部を該便受取部の直線延長方向に位置する箇所に折るための第２の折込線が設けられるとともに、該便受取部と該把持部との連設部には該把持部を該便受取部側へ折り込み可能にする第３の折込線が設けられていることを特徴とする。
【００１３】
請求項２の発明に係る採便具は、請求項１に記載の発明に係る採便具において、該便受取部は、便の受けこぼしを防止するための一対の側壁を有するものであって、該一対の側壁は該一対の側壁のそれぞれの下端一辺に設けられる、一方の側壁を他方の側壁へ向けて折込み可能にする第４の折込線を介して連設されるとともに、該把持部は一対の板状体からなり、該一対の板状体は該一対の板状体のそれぞれの下端一辺に設けられる、一方の板状体を他方の板状体へ向けて折込み可能にする第５の折込線を介して連設されていること
を特徴とする。
【００１４】
請求項３の発明に係る採便具は、検便用の便を採取するための採便具であって、検便用の便を受取るための便受取部と、該便受取部の一端に連設され、該採便具を把持するための把持部とを備え、該便受取部と該把持部との連設部に該把持部を該便受取部側へ折り込み可能にする第１の折込線が設けられており、該便受取部は、便の受けこぼしを防止するための一対の側壁を有するものであって、該一対の側壁は該一対の側壁のそれぞれの下端一辺に設けられる、一方の側壁を他方の側壁へ向けて折込み可能にする第４の折込線を介して連設されるとともに、該把持部は一対の板状体からなり、該一対の板状体は該一対の板状体のそれぞれの下端一辺に設けられる、一方の板状体を他方の板状体へ向けて折込み可能にする第５の折込線を介して連設されていることを特徴とする。
【００１５】
請求項４の発明に係る採便具は、請求項３に記載の発明に係る採便具において、該便受取部と該把持部とのなす角度が鈍角であることを特徴とする。
【発明の効果】
【００１８】
請求項１に記載の発明は、検便用の便を受取るための便受取部の一端に該採便具を把持するための把持部が連設されていることから、採便者は、洋式便器の便座に腰かけた後、又は、和式便器上にしゃがみこんだ後に、該把持部を把持しながら本発明を自身の肛門下方域に容易にセットすることができる（採便者は、自身の肛門下方域に該便受取部を容易に位置させることができる）。
【００１９】
また、本発明では、採便者が該把持部を把持することで自由に該便受取部の位置を調節可能なことから、採便具自体が便器に固定される採便具に比べ、便の状況（便の堅さ、落下速度、方向等）に合わせて、正確かつ効率的に検便用の便を採取することができる。
【００２０】
さらに、本発明では、検便用の便採取時に採便者が触れるのは、該把持部のみであることから、採便者は便器に触れることなく衛生的に採便作業を行うことができる。
【００２１】
本発明では、該便受取部と該把持部とのなす角度が鈍角に形成されていることから、採便者は、洋式便器の便座に腰かけた際、又は、和式便器上にしゃがみこんだ際、より自身の体に近い位置で本発明を把持することができる。これにより、本発明では、採便者は、より楽な姿勢で本発明を把持することができるとともに、該便受取部の位置を調節できる。
【００２２】
本発明では、該便受取部を水平に置いた場合に、該把持部が上方かつ横方向に屈曲して連設されていることから、採便者は、洋式便器の便座に腰かけた後、又は、和式便器上にしゃがみこんだ後に、容易に自身の尿道下方域及び女性器下方域（以下、尿道下方域及び女性器下方域を合わせて「尿道等下方域」という。）を避けながら、肛門下方域に本発明をセットすることができる（自身の尿道等下方域を避けつつ、肛門下方域に該便受取部を容易に位置させることができる）。これにより、本発明では、採便者は、容易に検便用の便に尿又は経血が付着しないよう採便作業を行うことができる。また、本発明には、上述のとおり、第２及び第３の折込線が設けられていることから、本発明では、コンパクト（二つ折り）に該採便具を収納かつ廃棄処分することができる。
【００２３】
請求項２に記載の発明には、上述のとおり、請求項１に記載の発明に設けられる第２及び第３の折込線に加え、第４及び第５の折込線が設けられていることから、本発明では、請求項１に記載の発明の効果に加えて、さらに該採便具をコンパクト（矩形かつ扁平）に収納かつ廃棄処分することができる。
【００２４】
請求項３に記載の発明では、第１、第４及び第５の折込線が設けられていることから、該採便具をコンパクト（矩形かつ扁平）に収納かつ廃棄処分することができる。
【００２５】
請求項４に記載の発明では、該便受取部と該把持部とのなす角度が鈍角に形成されていることから、採便者は、洋式便器の便座に腰かけた際、又は、和式便器上にしゃがみこんだ際、より自身の体に近い位置で本発明を把持することができる。これにより、本発明では、請求項３に記載の発明の効果に加えて、採便者は、より楽な姿勢で本発明を把持することができるとともに、該便受取部の位置を調節できる。

【図面の簡単な説明】
【００２６】
【図１】本発明の実施例１に係る採便具を右方向からみた斜視図である。
【図２】本発明の実施例１に係る採便具を正面方向からみた斜視図である。
【図３】本発明の実施例１に係る採便具の右側面図である。
【図４】本発明の実施例１に係る採便具の把持部を便受取部側へ折り込んだ状態を表す斜視図である。
【図５】本発明の実施例１に係る採便具の一方の側壁及び板状体を他方の側壁及び板状体側へ折り込んだ状態を表す斜視図である。
【図６】採便者が洋式便器において、本発明の実施例１に係る採便具を使用している状態を表す左側面図である（洋式便器のみ断面図）。
【図７】採便者が和式便器において、本発明の実施例１に係る採便具を使用している状態を表す左側面図である。
【図８】本発明の実施例２に係る採便具を右方向からみた斜視図である。
【図９】本発明の実施例２に係る採便具を正面方向からみた斜視図である。
【図１０】本発明の実施例２に係る採便具の右側面図である。
【図１１】本発明の実施例２に係る採便具の把持部を便受取部の直線延長方向に位置する箇所へ折り込んだ状態を表す正面方向からみた斜視図である。
【図１２】本発明の実施例２に係る採便具の把持部を便受取部側へ折り込んだ状態を表す斜視図である。
【図１３】本発明の実施例２に係る採便具の一方の側壁及び板状体を他方の側壁及び板状体側へ折り込んだ状態を表す斜視図である。
【図１４】本発明の実施例２に係る採便具の便受取部と肛門下方域及び尿道等下方域との位置関係を表す図である。
【図１５】本発明の採便具の変形例を表す斜視図である。
【発明を実施するための形態】
【００２７】
以下、図面を用いて本発明の詳細を説明する。
【実施例１】
【００２８】
まず、図１から図５を用いて、本発明の実施例１に係る採便具１００の形態について説明する。
【００２９】
本発明の実施例１に係る採便具１００は、便受取部２０及び把持部３０を備える。
【００３０】
図１は本発明の実施例１に係る採便具を右方向からみた斜視図であり、図２は本発明の実施例１に係る採便具を正面方向からみた斜視図である。また、図３は本発明の実施例１に係る採便具の右側面図を表す。さらに、図４は本発明の実施例１に係る採便具の把持部を便受取部側へ折り込んだ状態を、図５は本発明の実施例１に係る採便具の一方の側壁及び板状体を他方の側壁及び板状体側へ折り込んだ状態を表す斜視図である。
【００３１】
便受取部２０は、図１及び２に示すとおり、側壁１ａ、１ｂより構成される。側壁１ａ及び１ｂは矩形状からなり、それぞれの長手方向の長さは概ね２０ｃｍ、短手方向の長さは概ね５ｃｍに形成される。また、側壁１ａ、１ｂは、それぞれの下端一辺に設けられる第４の折込線８を介して連設されており、便受取部２０は、側壁１ａ、１ｂのなす角度により、断面視Ｖ字状にて形成される。このとき、側壁１ａと１ｂのなす角度を概ね８０度に形成するとよい。
【００３２】
把持部３０は、図１及び２に示すとおり、板状体２ａ、２ｂより構成される。板状体２ａ及び２ｂは矩形状からなり、それぞれの長手方向の長さは概ね２０ｃｍ、短手方向の長さは概ね５ｃｍに形成される（便受取部２０の長手方向及び短手方向の長さと同じ長さに形成する）。また、板状体２ａ、２ｂは、それぞれの下端一辺に設けられる第５の折込線９を介して連設されており、把持部３０は、板状体２ａ、２ｂのなす角度により、断面視Ｖ字状にて形成される。このとき、板状体２ａと２ｂのなす角度を概ね８０度に形成するとよい。
【００３３】
便受取部２０と把持部３０は、図１及び図２に示すとおり、第１の折込線５を介して連設されており、便受取部２０と把持部３０のなす角度は、概ね１４０度に形成される（すなわち鈍角に形成される。例えば図３）。また、便受取部２０と把持部３０は、共に非水溶性の厚紙にて形成することができる。
【００３４】
図５に示すとおり、採便具１００は、上述の第１の折込線５、第４の折込線８及び第５の折込線９に沿って矩形かつ扁平に折りたたむことができる。具体的には、まず、第１の折込線５に沿って把持部３０を便受取部２０側へ折り込む。続いて、把持部３０が便受取部２０側へ折り込まれた状態、すなわち、採便具１００が二つ折りとなった状態（図４）のまま、第４の折込線８と第５の折込線９に沿って側壁１ｂ及び板状体２ｂを側壁１ａ及び板状体２ａ側へ折り込むようにする。これにより、採便具１００は矩形かつ扁平に折りたたまれる（図５）。なお、このとき、第１の折込線５に沿って便受取部２０を把持部３０側へ折り込み、第４の折込線８及び第５の折込線９に沿って側壁１ａ及び板状体２ａを側壁１ｂ及び板状体２ｂ側へ折り込むことで、採便具１００を矩形かつ扁平に折りたたむこともできる。
【００３５】
次に、図６及び図７を用いて、本発明の実施例１に係る採便具１００の使用方法について説明する。
【００３６】
図６は、採便者が洋式便器において、本発明の実施例１に係る採便具を使用している状態を表す左側面図であり（洋式便器のみ断面図）、図７は、採便者が和式便器において、本発明の実施例１に係る採便具を使用している状態を表す左側面図である。
【００３７】
まず、採便具１００は、図５に示すように矩形かつ扁平に折りたたまれた状態で採便者３００に配布される（例えば、採便具１００は、検査用紙が入った封筒等にコンパクトに収納される。）。
【００３８】
次に、採便具１００を受け取った採便者３００は、矩形かつ扁平に折りたたまれた採便具１００を使用可能な状態に復元する。具体的には、まず、採便者３００は、第４の折込線８及び第５の折込線９に沿って側壁１ａ及び板状体２ａと側壁１ｂ及び板状体２ｂをそれぞれ外側へ開き（図４と同じ状態）、続いて、第１の折込線５に沿って便受取部２０と把持部３０をそれぞれ外側へ開くようにする。これにより、採便具１００は、使用可能な状態に復元される（例えば、図１乃至図３と同じ状態）。
【００３９】
そして、採便者３００は、洋式便器９０の便座に腰かけた後、又は、和式便器９１上にしゃがみこんだ後に、把持部３０を把持することで採便具１００を把持し、採便具１００を自身の股の間から肛門下方域７０へ挿入する（図６、図７）。このとき、便受取部２０と把持部３０のなす角度は、概ね１４０度に形成されていることから（すなわち鈍角に形成される。例えば図３）、採便者３００は、より自身の体に近い位置で採便具１００を把持することができ、便受取部２０を肛門下方域７０へ容易に導くことができる。
【００４０】
採便具１００を肛門下方域７０へ挿入した後、採便者３００は、肛門下方域７０に位置する便受取部２０へ向けて検便用の便６０を落下させる（図６、図７）。このとき、便受取部２０の側壁１ａと１ｂのなす角度は概ね８０度に形成されていることから、確実に便受取部２０にて検便用の便６０を受け取ることができる（側壁１ａと１ｂのなす角度が小さすぎると、便受取部２０の検便用の便６０の受取幅が小さくなることから、便受取部２０にて検便用の便６０を受取れない可能性があり、また、側壁１ａと１ｂのなす角度が大きすぎると検便用の便６０の重みで便受取部２０が下方に折れ曲がり、検便用の便６０が便受取部２０よりこぼれ落ちてしまうおそれがある）。
【００４１】
なお、検便用の便６０の状況（便の堅さ、落下速度、方向等）は、その日の体調によって様々であるが、採便者３００は、把持部３０を把持することで自由に便受取部２０の位置を調節可能なことから、検便用の便６０の状況（便の堅さ、落下速度、方向等）に合わせて、検便用の便６０を正確かつ効率的に便受取部２０にて受け取ることができる（例えば、便が飛び散るように落下する場合には、採便者３００は、把持部３０を左右に動かすことで便受取部２０を便の落下位置に合わせ調節する等）。また、採便具１００を、例えば非水溶性の厚紙にて形成しておけば、検便用の便６０に水分が多く含まれている場合でも、採便具１００は溶けることなく、検便用の便６０を便受取部２０にて受け取ることができる。
【００４２】
続いて、採便者３００は、便受取部２０に検便用の便６０が載った状態のまま、採便具１００を自身の股の間から抜き出し、検便用の採取棒等にて必要な便を採取し、これを検査機関に提出する。このとき、採便者３００は把持部３０を把持したまま、採取棒等にて便を採取できることから、手を汚すことなく係る作業を行うことができる。
【００４３】
最後に、採便者３００は、使用済みの採便具１００を専用の廃棄袋等に入れることで、これを処分する。このとき、採便具１００は、上述のとおり、第１の折込線５、第４の折込線８及び第５の折込線９に沿って矩形かつ扁平に折りたたむことができることから（図５）、採便具１００をコンパクトにして廃棄処分することも可能である。なお、採便具１００を、例えば、非水溶性の厚紙にて形成しておけば、可燃ゴミとして焼却することができる。
【００４４】
このように、本発明では、便受取部２０と把持部３０が第１の折込線５を介して連設されており、便受取部２０と把持部３０のなす角度が概ね１４０度に形成されていることから（すなわち鈍角に形成される。例えば図３）、採便者３００は、より自身の体に近い位置で本発明を把持することができ、洋式便器９０の便座に腰かけた後、又は、和式便器９１上にしゃがみこんだ後に、把持部３０を把持しながら本発明を自身の肛門下方域７０に容易にセットすることができる（採便者３００は、自身の肛門下方域７０に便受取部２０を容易に位置させることができる）。
【００４５】
また、本発明では、上記構成から、採便者３００が把持部３０を把持することで自由に便受取部２０の位置を調節可能なことから、採便具自体が便器に固定される採便具に比べ、便の状況（便の堅さ、落下速度、方向等）に合わせて、正確かつ効率的に検便用の便６０を採取することができる。
【００４６】
さらに、本発明では、検便用の便採取時に採便者３００が触れるのは、把持部３０のみであることから、採便者３００は便器（洋式便器９０、和式便器９１）に触れることなく衛生的に採便作業を行うことができる。
【００４７】
加えて、上述のとおり、採便具１００は、第１の折込線５、第４の折込線８及び第５の折込線９に沿って矩形かつ扁平に折りたたむことができることから（図５）、本発明では、採便具１００をコンパクトにして収納かつ廃棄処分することができる。
【００４８】
なお、本実施例では、側壁１ａ及び１ｂと板状体２ａ及び２ｂのそれぞれの長手方向の長さを概ね２０ｃｍ、短手方向の長さを概ね５ｃｍに形成するものとしているが、採便者３００が、洋式便器９０の便座に腰かけた後、又は、和式便器９１上にしゃがみこんだ後に、把持部３０を把持することで採便具１００を把持し、採便具１００を自身の股の間から肛門下方域７０へ挿入することができるのであれば、側壁１ａ及び１ｂと板状体２ａ及び２ｂのそれぞれの長さを他の長さで形成することも可能である。例えば、体の小さな者が使用する採便具１００の場合には、側壁１ａ及び１ｂと板状体２ａ及び２ｂのそれぞれの長手方向の長さを概ね１５ｃｍ、短手方向の長さを概ね３ｃｍに形成し（採便具１００を小さいサイズにする）、体の大きな者が使用する採便具１００の場合には、側壁１ａ及び１ｂと板状体２ａ及び２ｂのそれぞれの長手方向の長さを概ね２５ｃｍ、短手方向の長さを概ね７ｃｍに形成してもよい（採便具１００を大きいサイズにする）。
【００４９】
また、本実施例では、把持部３０を便受取部２０の長手方向及び短手方向の長さと同じ長さに形成するものとしているが、採便具１００を第１の折込線５、第４の折込線８及び第５の折込線９に沿って矩形かつ扁平に折りたたむことができるのであれば、把持部３０（板状体２ａ及び２ｂ）と便受取部２０（側壁１ａ及び１ｂ）の長手方向及び短手方向の長さがそれぞれ異なっていてもよい。例えば、把持部３０（板状体２ａ及び２ｂ）の長手方向の長さを２０ｃｍとし、便受取部２０（側壁１ａ及び１ｂ）の長手方向の長さを１５ｃｍとしてもよい。また、把持部３０（板状体２ａ及び２ｂ）の短手方向の長さを３ｃｍとし、便受取部２０（側壁１ａ及び１ｂ）の短手方向の長さを７ｃｍとすることもできる。
【００５０】
さらに、本実施例では、側壁１ａ及び１ｂと板状体２ａ及び２ｂのそれぞれのなす角度を概ね８０度に形成するものとしているが、（１）確実に便受取部２０にて検便用の便６０を受け取ることができ、（２）検便用の便６０の重みで便受取部２０が下方に折れ曲がり、検便用の便６０が便受取部２０よりこぼれ落ちるのを防止することができるのであれば、これらのなすそれぞれの角度を他の角度で形成してもよい。例えば、これらのなすそれぞれの角度を、概ね６０度〜１１０度に形成してもよいし、側壁１ａ及び１ｂのなす角度と板状体２ａ及び２ｂのなす角度を異なる角度に形成してもよい（例えば、側壁１ａ及び１ｂのなす角度を概ね８０度に形成し、板状体２ａ及び２ｂのなす角度を概ね６０度に形成する等）。
【００５１】
また、本実施例では、便受取部２０と把持部３０のなす角度を概ね１４０度に形成するものとしているが、採便者３００が、より自身の体に近い位置で採便具１００を把持することができ、便受取部２０を肛門下方域７０へ容易に導くことができるのであれば、便受取部２０と把持部３０のなす角度は、この角度に限定されるものではない。例えば、腕の長さが短い者が使用する採便具１００の場合には、便受取部２０と把持部３０のなす角度を概ね１１０度に形成し（腕の長さが短いため、便受取部２０と把持部３０のなす角度がより直角に近い方が、体に近い位置で採便具１００を把持し易くなる）、腕の長さが長い者が使用する採便具１００の場合には、便受取部２０と把持部３０のなす角度を概ね１５０度に形成してもよい（腕の長さが長いため、便受取部２０と把持部３０のなす角度が水平（１８０度）に近い方が採便具１００を把持し易い）。なお、採便者３００が自身の体に近い位置で採便具１００を把持しなくてもよいとするのであれば、便受取部２０と把持部３０のなす角度を概ね１８０度（便受取部２０と把持部３０が概ね水平に位置するよう）に形成してもよい。
【００５２】
加えて、本実施例では、側壁１ａと１ｂのなす角度、板状体２ａと２ｂのなす角度及び便受取部２０と把持部３０のなす角度が不変であることを前提としているが、これらの角度を可変のものとしてもよい。例えば、採便作業を行う際、採便者３００が検便用の便６０が水分を多く含むことから、飛び散るように落下すると予測する場合には（お腹を下している状況）、側壁１ａと１ｂのなす角度を８０度から１１０度に広げ、便受取部２０の検便用の便６０の受取幅を大きくすることで、便受取部２０にて検便用の便６０を正確に受取るようにすることもできる。また、採便者３００の手が小さい場合には、板状体２ａと２ｂのなす角度を８０度から６０度に小さくし、把持部３０を把持し易く調節することもできる。さらに、腕の長さが短い者が採便具１００を使用する場合には、便受取部２０と把持部３０のなす角度を１４０度から１１０度に変更し（腕の長さが短いため、便受取部２０と把持部３０のなす角度がより直角に近い方が、体に近い位置で採便具１００を把持し易くなる）、腕の長さが長い者が採便具１００を使用する場合には、便受取部２０と把持部３０のなす角度を１４０度から１５０度に変更する（腕の長さが長いため、便受取部２０と把持部３０のなす角度が水平（１８０度）に近い方が採便具１００を把持し易い）等、採便者３００の体型に合わせて採便具１００を把持し易いよう調節することもできる。このような構成によれば、あらゆる検便用の便６０の状況（便の堅さ、落下速度、方向等）や採便者３００の体型にひとつの採便具１００で対応可能となる。なお、側壁１ａと１ｂのなす角度、板状体２ａと２ｂのなす角度及び便受取部２０と把持部３０のなす角度をそれぞれ調節する場合には、採便具１００（便受取部２０と把持部３０）を塑性変形する素材、例えば、アルミニウムで形成し、これらに外側、内側方向への力を加えればよい。
【００５３】
本実施例では、便受取部２０及び把持部３０を断面視Ｖ字状にて形成するものとしているが、採便者３００が把持部３０を把持することで採便具１００を把持し、採便具１００を自身の股の間から肛門下方域７０へ挿入することで（肛門下方域７０に便受取部２０を位置させる）、便受取部２０にて検便用の便６０を受け取ることができるのであれば、便受取部２０及び把持部３０の形状はこれに限られるものではない。例えば、図１５に示すように、便受取部４１を底部１０ｃ、側壁１０ａ、１０ｂより構成することで断面視コ字状に形成し、把持部５１を板状体より構成してもよい。このとき、便受取部４１と把持部５１との連設部に把持部５１を便受取部４１側へ折り込み可能にする折込線１２を形成しておけば（便受取部４１を把持部５１側へ折り込むことも可能）、採便具４００をコンパクトにして収納かつ廃棄処分することができる。また、便受取部２０及び／又は把持部３０を断面視Ｕ字状に形成してもよい。なお、このときに便受取部２０と把持部３０との連設部に把持部３０を便受取部２０側へ折り込み可能にする折込線を形成しておけば（便受取部２０を把持部３０側へ折り込むことも可能）、上記と同様の効果（採便具１００をコンパクトにして収納かつ廃棄処分することができる）を得ることができる。
【００５４】
最後に、本実施例では、採便具１００（便受取部２０と把持部３０）を非水溶性の厚紙にて形成するものとしているが、非水溶性の素材であれば、他の素材、例えば、アルミニウムやゴム片等により採便具１００（便受取部２０と把持部３０）を形成することもできる。また、便受取部２０を非水溶性の素材で形成し、把持部３０を水溶性の素材で形成してもよい。さらに、検便用の便６０に水分が多く含まれている場合でも、便受取部２０に厚みがあり、一定時間、便受取部２０が検便用の便６０に含まれる水分で溶けないのであれば、便受取部２０を水溶性の厚紙等で形成することも可能である。なお、この場合、採便者３００は、便受取部２０が検便用の便６０に含まれる水分で溶けるまでの間に、採便具１００を自身の股の間から抜き出し、検便用の採取棒等にて必要な便を採取すればよい。
【００５５】
このように、本実施例では、本発明の趣旨を逸脱しない範囲で種々の変更が可能であることはいうまでもない。
【実施例２】
【００５６】
次に、図８乃至図１３を用いて、本発明の実施例２に係る採便具２００の形態について説明する。なお、実施例２に係る採便具２００の便受取部４０と把持部５０の形態及び素材は、実施例１に係る採便具１００の便受取部２０と把持部３０の形態及び素材と同様であることから、ここでは説明を省略する。
【００５７】
図８は本発明の実施例２に係る採便具を右方向からみた斜視図であり、図９は本発明の実施例２に係る採便具を正面方向からみた斜視図である。また、図１０は本発明の実施例２に係る採便具の右側面図を表す。さらに、図１１は本発明の実施例２に係る採便具の把持部を便受取部の直線延長方向に位置する箇所へ折り込んだ状態を表す正面方向からみた斜視図であり、図１２は本発明の実施例２に係る採便具の把持部を便受取部側へ折り込んだ状態を、図１３は本発明の実施例２に係る採便具の一方の側壁及び板状体を他方の側壁及び板状体側へ折り込んだ状態を表す斜視図である。
【００５８】
便受取部４０と把持部５０は、図８及び図９に示すとおり、第３の折込線７ａ、７ｂを介して連設されており、把持部５０は、便受取部４０を水平に置いた場合に上方かつ横方向に屈曲するよう形成される。便受取部４０と把持部５０のなす角度は、概ね１４０度に形成され（すなわち鈍角に形成される。例えば図１０）、把持部５０は便受取部４０に対し、概ね６０度の傾きを有するよう形成される（左右いずれに傾いていてもよい）。
【００５９】
採便具２００は、図１１に示す、第２の折込線６ａ、６ｂ、第３の折込線７ａ、７ｂ、第４の折込線８及び第５の折込線９に沿って矩形かつ扁平に折りたたんで、図１３に示すとおりとすることができる。具体的には、まず、把持部５０を便受取部４０の直線延長方向に位置する箇所に移動させるようにする。このとき、第２の折込線６ａ、６ｂより形成される三角形状からなる面６Ａを第２の折込線６ａ、６ｂに沿って、便受取部４０側へ倒し込むように折り込めば、把持部５０は、この動きに連動して便受取部４０の直線延長方向に位置する箇所に移動することになる（図１１）。そして、第３の折込線７ａ、７ｂに沿って把持部５０を便受取部４０側へ折り込んだ後、この状態（把持部５０が便受取部４０側へ折り込まれた状態、すなわち、採便具２００が二つ折りとなった状態（図１２））を維持しながら、第４の折込線８と第５の折込線９に沿って側壁３ｂ及び板状体４ｂを側壁３ａ及び板状体４ａ側へ折り込むようにする。これにより、採便具２００は矩形かつ扁平に折りたたまれる（図１３）。なお、このとき、第３の折込線７ａ、７ｂに沿って便受取部４０を把持部５０側へ折り込み、第４の折込線８及び第５の折込線９に沿って側壁３ａ及び板状体４ａを側壁３ｂ及び板状体４ｂ側へ折り込むことで、採便具２００を矩形かつ扁平に折りたたむこともできる。
【００６０】
次に、本発明の実施例２に係る採便具２００の使用方法について説明する。なお、本発明の実施例２に係る採便具２００の使用方法のうち、矩形かつ扁平に折りたたまれた採便具２００を使用可能な状態に復元する方法並びに採便具２００を自身の股の間から肛門下方域７０へ挿入する方法以外については、実施例１に係る採便具１００の使用方法と同様であることから、ここでは説明を省略する。
【００６１】
まず、採便具２００は、図１３に示すように矩形かつ扁平に折りたたまれた状態で採便者３００に配布される（例えば、採便具２００は、検査用紙が入った封筒等にコンパクトに収納される。）。
【００６２】
次に、採便具２００を受け取った採便者３００は、矩形かつ扁平に折りたたまれた採便具２００を使用可能な状態に復元する。具体的には、まず、採便者３００は、第４の折込線８及び第５の折込線９に沿って側壁３ａ及び板状体４ａと側壁３ｂ及び板状体４ｂをそれぞれ外側へ開き（図１２と同じ状態）、続いて、第３の折込線７ａ、７ｂに沿って便受取部４０と把持部５０をそれぞれ外側へ開くようにする（図１１と同じ状態）。そして、採便者３００は、第２の折込線６ａ、６ｂより形成される三角形状からなる面６Ａを第２の折込線６ａ、６ｂに沿って、把持部５０側へ倒し込むようにする。これにより、把持部５０は、この動きに連動して、便受取部４０に対して傾いた状態に戻されることから、採便具２００は使用可能な状態に復元される（例えば、図８乃至図１０と同じ状態）。
【００６３】
そして、採便者３００は、洋式便器９０の便座に腰かけた後、又は、和式便器９１上にしゃがみこんだ後に、把持部５０を把持することで採便具２００を把持し、採便具２００を自身の股の間から肛門下方域７０へ挿入する（図６、図７と同様）。このとき、便受取部４０と把持部５０のなす角度は、概ね１４０度に形成されていることから（すなわち鈍角に形成される。例えば図１０）、採便者３００は、より自身の体に近い位置で採便具２００を把持することができ、便受取部４０を肛門下方域７０へ容易に導くことができる。また、このとき、採便具２００は、把持部５０が便受取部４０を水平に置いた場合に上方かつ横方向に屈曲するよう形成されていることから、便受取部４０は採便者３００の尿道等下方域８０を避けながら、肛門下方域７０にセットされることなる（図１４）。これにより、採便者３００は、容易に検便用の便６０に尿又は経血が付着しないよう採便作業を行うことができる。
【００６４】
このように、本発明では、把持部５０が便受取部４０を水平に置いた場合に上方かつ横方向に屈曲するよう形成されていることから、採便者３００は、洋式便器の便座に腰かけた後、又は、和式便器上にしゃがみこんだ後に、容易に自身の尿道等下方域８０を避けながら、肛門下方域７０に本発明をセットすることができる（自身の尿道等下方域８０を避けつつ、肛門下方域７０に便受取部４０を容易に位置させることができる。図１４）。これにより、採便者３００は、容易に検便用の便６０に尿又は経血が付着しないよう採便作業を行うことが可能になる。
【００６５】
また、採便具２００は、第２の折込線６ａ、６ｂ、第３の折込線７ａ、７ｂ、第４の折込線８及び第５の折込線９に沿って矩形かつ扁平に折りたたむことができることから（図１３）、本発明では、採便具２００をコンパクトにして収納かつ廃棄処分することができる。
【００６６】
なお、本実施例では、把持部５０を便受取部４０に対し、概ね６０度の傾きを有するように形成するものとしているが（左右いずれに傾いていてもよい）、採便者３００が自身の尿道等下方域８０を避けながら、肛門下方域７０に本発明をセットすることができるのであれば（自身の尿道等下方域８０を避けつつ、肛門下方域７０に便受取部４０を容易に位置させることができる。図１４）、把持部５０の便受取部４０に対する傾きはこの角度に限られるものではない。例えば、採便者３００が男性の場合には、女性に比べ、尿道等下方域８０の位置を自ら調節可能なことから、把持部５０の便受取部４０に対する傾きを８０度程度（把持部５０を便受取部４０の直線延長方向に位置する箇所に近づける）に形成してもよいし、採便者３００が女性の場合には、男性に比べ、尿道等下方域８０の位置を自ら調節困難なことから、把持部５０の便受取部４０に対する傾きを４０度程度（把持部５０を便受取部４０の直線延長方向に位置する箇所から遠ざける）に形成してもよい。
【００６７】
また、本実施例では、便受取部４０及び把持部５０を断面視Ｖ字状にて形成するものとしているが、採便者３００が把持部５０を把持することで採便具２００を把持し、採便具２００を自身の股の間から肛門下方域７０へ挿入することで（肛門下方域７０に便受取部４０を位置させる）、便受取部４０にて検便用の便６０を受け取ることができるのであれば、便受取部４０及び把持部５０の形状はこれに限られるものではない。例えば、便受取部４０及び／又は把持部５０を断面視Ｕ字状に形成してもよい。また、便受取部４０を底部、側壁より構成することで断面視コ字状に形成し、把持部５０を板状体より構成してもよい。このとき、便受取部４０と把持部５０との連設部及びその近傍に、便受取部４０を水平に置いた場合に上方かつ横方向に屈曲して連設されている把持部５０を便受取部４０の直線延長方向に位置する箇所に折るための折込線を形成し、便受取部４０と把持部５０との連設部に把持部５０を便受取部４０側へ折り込み可能にする折込線を形成しておけば（便受取部４０を把持部５０側へ折り込むことも可能）、採便具２００をコンパクトにして収納かつ廃棄処分することができる。
【００６８】
さらに、本実施例では、（１）採便具２００の側壁３ａ及び３ｂと板状体４ａ及び４ｂのそれぞれの長手方向及び短手方向の長さ、（２）側壁３ａ及び３ｂと板状体４ａ及び４ｂのそれぞれのなす角度、（３）便受取部４０と把持部５０のなす角度、（４）側壁３ａと３ｂのなす角度、板状体４ａと４ｂのなす角度及び便受取部４０と把持部５０のなす角度が可変である点、（５）採便具２００（便受取部４０と把持部５０）の素材について、実施例１と同様の変更が可能であることは勿論のことである。
【００６９】
このように、本実施例では、本発明の趣旨を逸脱しない範囲で種々の変更が可能であることはいうまでもない。
【符号の説明】
【００７０】
１ａ    側壁
１ｂ    側壁
２ａ    板状体
２ｂ    板状体
３ａ    側壁
３ｂ    側壁
４ａ    板状体
４ｂ    板状体
５      第１の折込線
６ａ    第２の折込線
６ｂ    第２の折込線
６Ａ    三角形状からなる面
７ａ    第３の折込線
７ｂ    第３の折込線
８      第４の折込線
９      第５の折込線
２０    便受取部
３０    把持部
４０    便受取部
５０    把持部
６０    検便用の便
７０    肛門下方域
８０    尿道等下方域
９０    洋式便器
９１    和式便器
１００  採便具
２００  採便具
３００  採便者
【要約】
【課題】洋式、和式便器を問わず、正確かつ効率的に検便用の便を採取可能にし、採便者が便器に触れることなく衛生的に採便作業を行えるようにする。
【解決手段】採便具１００を、便受取部２０と把持部３０とから構成し、便受取部２０には第４の折込線８を介して連設される側壁１ａ、１ｂを設け、把持部３０には第５の折込線９を介して連設される板状体２ａ、２ｂを設けてなり、便受取部２０と把持部３０の連設部には把持部３０を便受取部２０側へ折り込み可能にする第１の折込線５を設ける。
【選択図】図１【図１】
0005545560.tif 000002
【図２】
0005545560.tif 000003
【図３】
0005545560.tif 000004
【図４】
0005545560.tif 000005
【図５】
0005545560.tif 000006
【図６】
0005545560.tif 000007
【図７】
0005545560.tif 000008
【図８】
0005545560.tif 000009
【図９】
0005545560.tif 000010
【図１０】
0005545560.tif 000011
【図１１】
0005545560.tif 000012
【図１２】
0005545560.tif 000013
【図１３】
0005545560.tif 000014
【図１４】
0005545560.tif 000015
【図１５】
0005545560.tif 000016